(57)【特許請求の範囲】
【請求項１】
ディスプレイのIOインタフェースにより、ディスプレイの実際の表示モードを検出するステップと、
前記ディスプレイの実際の表示モードでの画面解像度、及び前記ディスプレイの予め設定された表示モードでの画面解像度に基づいて、隣接する複数の画素における予め設定された補正データを平均値化処理し、または隣接する複数の画素における予め設定された補正データのいずれか１つを選択して、画面補正データを生成するステップと、
前記画面補正データを使用して表示画面信号に対して画面補正操作を行うステップと、
前記ディスプレイの実際の表示モードを使用して、前記画面補正操作後の前記表示画面信号に対して表示操作を行うステップと、
を含み、
前記予め設定された補正データは、前記ディスプレイの予め設定された表示モードでの表示画面信号の補正データである画面補正方法。
【請求項２】
前記予め設定された表示モードは２Ｄ表示モードであり、前記ディスプレイの２Ｄ表示モードでの画面解像度は他の表示モードでの画面解像度より高い請求項１に記載の画面補正方法。
【請求項３】
前記ディスプレイの実際の表示モードでの画面解像度が前記ディスプレイの予め設定された表示モードでの画面解像度の１/２である場合に、前記実際の表示モードでの表示画面信号に対応する前記予め設定された表示モードでの表示画面信号の隣接する２行の２つの画素における予め設定された補正データに対して平均値化処理を行い、前記画面補正データを生成する請求項１に記載の画面補正方法。
【請求項４】
前記ディスプレイの実際の表示モードでの画面解像度が前記ディスプレイの予め設定された表示モードでの画面解像度の１/４である場合に、前記実際の表示モードでの表示画面信号に対応する前記予め設定された表示モードでの表示画面信号の隣接する４行の４つの画素における予め設定された補正データに対して平均値化処理を行い、前記画面補正データを生成する請求項１に記載の画面補正方法。
【請求項５】
前記ディスプレイの実際の表示モードでの画面解像度が前記ディスプレイの予め設定された表示モードでの画面解像度の１/２である場合に、前記実際の表示モードでの表示画面信号に対応する前記予め設定された表示モードでの表示画面信号の隣接する２行の２つの画素における予め設定された補正データのいずれか１つを前記画面補正データとして選択する請求項１に記載の画面補正方法。
【請求項６】
ディスプレイの実際の表示モードを検出するステップと、
前記ディスプレイの実際の表示モードでの画面解像度、及び前記ディスプレイの予め設定された表示モードでの画面解像度に基づいて、隣接する複数の画素における予め設定された補正データを平均値化処理し、または隣接する複数の画素における予め設定された補正データのいずれか１つを選択して、画面補正データを生成するステップと、
前記画面補正データを使用して表示画面信号に対して画面補正操作を行うステップと、
前記ディスプレイの実際の表示モードを使用して、前記画面補正操作後の前記表示画面信号に対して表示操作を行うステップと、
を含む画面補正方法。
【請求項７】
前記予め設定された補正データは前記ディスプレイの予め設定された表示モードでの表示画面信号の補正データである請求項６に記載の画面補正方法。
【請求項８】
前記画面補正データを生成するステップは、
前記ディスプレイの実際の表示モードでの画面解像度、及び前記ディスプレイの予め設定された表示モードでの画面解像度に基づいて、前記予め設定された補正データを処理して、前記画面補正データを生成するステップを含む請求項７に記載の画面補正方法。
【請求項９】
前記予め設定された表示モードは２Ｄ表示モードであり、前記ディスプレイの２Ｄ表示モードでの画面解像度は、他の表示モードでの画面解像度より高い請求項８に記載の画面補正方法。
【請求項１０】
前記ディスプレイの実際の表示モードでの画面解像度が前記ディスプレイの予め設定された表示モードでの画面解像度の１/２である場合に、前記実際の表示モードでの表示画面信号に対応する前記予め設定された表示モードでの表示画面信号の隣接する２行の２つの画素における予め設定された補正データに対して平均値化処理を行い、前記画面補正データを生成する請求項８に記載の画面補正方法。
【請求項１１】
前記ディスプレイの実際の表示モードでの画面解像度が前記ディスプレイの予め設定された表示モードでの画面解像度の１/４である場合に、前記実際の表示モードでの表示画面信号に対応する前記予め設定された表示モードでの表示画面信号の隣接する４行の４つの画素における予め設定された補正データに対して平均値化処理を行い、前記画面補正データを生成する請求項８に記載の画面補正方法。
【請求項１２】
前記ディスプレイの実際の表示モードでの画面解像度が前記ディスプレイの予め設定された表示モードでの画面解像度の１/２である場合に、前記実際の表示モードでの表示画面信号に対応する前記予め設定された表示モードでの表示画面信号の隣接する２行の２つの画素における予め設定された補正データのいずれか１つを前記画面補正データとして選択する請求項８に記載の画面補正方法。
【請求項１３】
ディスプレイの実際の表示モードを検出するモード検出モジュールと、
前記ディスプレイの実際の表示モードでの画面解像度、及び前記ディスプレイの予め設定された表示モードでの画面解像度に基づいて、隣接する複数の画素における予め設定された補正データを平均値化処理し、または隣接する複数の画素における予め設定された補正データのいずれか１つを選択して画面補正データを生成する補正データ生成モジュールと、
前記画面補正データを使用して表示画面信号に対して画面補正操作を行う補正操作モジュールと、
前記ディスプレイの実際の表示モードを使用して、前記画面補正操作後の前記表示画面信号に対して表示操作を行う表示モジュールと、
を備える画面補正を有するディスプレイ。
【請求項１４】
前記予め設定された補正データは、前記ディスプレイの予め設定された表示モードでの表示画面信号の補正データである請求項１３に記載の画面補正を有するディスプレイ。
【請求項１５】
前記補正データ生成モジュールは、前記ディスプレイの実際の表示モードでの画面解像度、及び前記ディスプレイの予め設定された表示モードでの画面解像度に基づいて、前記予め設定された補正データを処理して、前記画面補正データを生成する請求項１４に記載の画面補正を有するディスプレイ。
【請求項１６】
前記予め設定された表示モードは２Ｄ表示モードであり、前記ディスプレイの２Ｄ表示モードでの画面解像度は、他の表示モードでの画面解像度より高い請求項１５に記載の画面補正を有するディスプレイ。
【請求項１７】
前記ディスプレイの実際の表示モードでの画面解像度が前記ディスプレイの予め設定された表示モードでの画面解像度の１/２である場合に、前記補正データ生成モジュールは、前記実際の表示モードでの表示画面信号に対応する前記予め設定された表示モードでの表示画面信号の隣接する２行の２つの画素における予め設定された補正データに対して平均値化処理を行い、前記画面補正データを生成する請求項１５に記載の画面補正を有するディスプレイ。
【請求項１８】
前記ディスプレイの実際の表示モードでの画面解像度が前記ディスプレイの予め設定された表示モードでの画面解像度の１/４である場合に、前記補正データ生成モジュールは、前記実際の表示モードでの表示画面信号に対応する前記予め設定された表示モードでの表示画面信号の隣接する４行の４つの画素における予め設定された補正データに対して平均値化処理を行い、前記画面補正データを生成する請求項１５に記載の画面補正を有するディスプレイ。
【請求項１９】
前記ディスプレイの実際の表示モードでの画面解像度が前記ディスプレイの予め設定された表示モードでの画面解像度の１/２である場合に、前記補正データ生成モジュールは、前記実際の表示モードでの表示画面信号に対応する前記予め設定された表示モードでの表示画面信号の隣接する２行の２つの画素における予め設定された補正データのいずれか１つを画面補正データとして選択する請求項１５に記載の画面補正を有するディスプレイ。
【発明の詳細な説明】
【技術分野】
【０００１】
本発明は、ディスプレイ分野、特に画面補正方法及び画面補正を有するディスプレイに関する。
【背景技術】
【０００２】
科学技術の発展に伴い、オフィスでコンピューターを使用したり、携帯で通信したり、家でホームシアターにより映画を見たりする等のディスプレイを使用する場合が増えてきた。そのため、ディスプレイに対する需要が強くなってきた。
【０００３】
ディスプレイにおいて、ムラ（mura）は一般的な問題である。ムラの発生には、多くの原因があり、例えば、液晶ボックスの製造の際にダスト粒子の混入により塊状のムラが発生する場合あり、走査線又はデータ線の製造不良により条状のムラが発生する場合があり、また、カラーフィルタ基板上のRGB色抵抗の製造不良により、特定のカラー画面に点状のムラが発生する場合がある。
【０００４】
ムラ現象の発生は使用者の正常使用に大きな影響を与えるため、ディスプレイメーカーは、ディスプレイの製造後にディスプレイをムラ検出し、ムラ検出の結果に基づいて、予め設定された画面補正チップでディスプレイの表示画面を画面補正することにより、ディスプレイのムラ現象を緩和又は解消する。
【０００５】
しかしながら、ディスプレイは２Ｄ表示画面を実現する際に固定解像度を有しており、従来のディスプレイは２Ｄ表示画面のみに対して画面補正をすることができる。一方、ディスプレイは複数の３Ｄ表示モードを有し、異なる３Ｄ表示モードの表示画面の解像度は異なる可能性があるため、同一の画面補正モードを使用してすべての３Ｄ表示モードの表示画面を補正することができない。
【０００６】
そのため、従来技術に存在の問題を解決するために、画面補正方法及び画面補正を有するディスプレイを提供する必要がある。
【発明の概要】
【発明が解決しようとする課題】
【０００７】
本発明は、複数種類の２Ｄ又は３Ｄ表示モードに対応可能な画面補正方法、及び画面補正を有するディスプレイを提供することにより、従来の画面補正方法及び画面補正を有するディスプレイがディスプレイのすべての表示モードの表示画面に画面補正を行うことができないという技術問題を解決することを目的とする。
【課題を解決するための手段】
【０００８】
上記の問題を解決するために、本発明の提供する技術案は以下の通りである。  
本発明の実施例は、
ディスプレイのIOインタフェースにより、ディスプレイの実際の表示モードを検出するステップと、
前記ディスプレイの実際の表示モードでの画面解像度、及び前記ディスプレイの予め設定された表示モードでの画面解像度に基づいて、予め設定された補正データを処理して画面補正データを生成するステップと、
前記画面補正データを使用して、表示画面信号に対して画面補正操作を行うステップと、
前記ディスプレイの実際の表示モードを使用して、前記画面補正操作後の前記表示画面信号に対して表示操作を行うステップと、
を含み、
前記予め設定された補正データは、前記ディスプレイの予め設定された表示モードでの表示画面信号の補正データである画面補正方法を提供する。
【０００９】
本発明に記載の画面補正方法において、前記予め設定された表示モードは２Ｄ表示モードであり、前記ディスプレイの２Ｄ表示モードでの画面解像度は、他の表示モードでの画面解像度より高い。
【００１０】
本発明に記載の画面補正方法において、前記ディスプレイの実際の表示モードでの画面解像度が前記ディスプレイの予め設定された表示モードでの画面解像度の１/２である場合に、前記実際の表示モードでの表示画面信号に対応する前記予め設定された表示モードでの表示画面信号の予め設定された補正データに平均値化処理を行い、前記画面補正データを生成する。
【００１１】
本発明に記載の画面補正方法において、前記ディスプレイの実際の表示モードでの画面解像度が前記ディスプレイの予め設定された表示モードでの画面解像度の１/４である場合に、前記実際の表示モードでの表示画面信号に対応する前記予め設定された表示モードでの表示画面信号の予め設定された補正データに平均値化処理を行い、前記画面補正データを生成する。
【００１２】
本発明に記載の画面補正方法において、前記ディスプレイの実際の表示モードでの画面解像度が前記ディスプレイの予め設定された表示モードでの画面解像度の１/２である場合に、前記実際の表示モードでの表示画面信号に対応する前記予め設定された表示モードでの表示画面信号の予め設定された補正データのいずれか１つを前記画面補正データとして選択する。
【００１３】
本発明の実施例は、
ディスプレイの実際の表示モードを検出するステップと、
前記ディスプレイの実際の表示モード、及び予め設定された補正データに基づいて、画面補正データを生成するステップと、
前記画面補正データを使用して、表示画面信号に対して画面補正操作を行うするステップと、
前記ディスプレイの実際の表示モードを使用して、前記画面補正操作後の前記表示画面信号に対して表示操作を行うステップと、
を含む画面補正方法をさらに提供する。
【００１４】
本発明に記載の画面補正方法において、前記予め設定された補正データは、前記ディスプレイの予め設定された表示モードでの表示画面信号の補正データである。
【００１５】
本発明に記載の画面補正方法において、前記画面補正データを生成するステップは、
前記ディスプレイの実際の表示モードでの画面解像度、及び前記ディスプレイの予め設定された表示モードでの画面解像度に基づいて、前記予め設定された補正データを処理して、前記画面補正データを生成するステップを含む。
【００１６】
本発明に記載の画面補正方法において、前記予め設定された表示モードは２Ｄ表示モードであり、前記ディスプレイの２Ｄ表示モードでの画面解像度は、他の表示モードでの画面解像度より高い。
【００１７】
本発明に記載の画面補正方法において、前記ディスプレイの実際の表示モードでの画面解像度が前記ディスプレイの予め設定された表示モードでの画面解像度の１/２である場合に、前記実際の表示モードでの表示画面信号に対応する前記予め設定された表示モードでの表示画面信号の予め設定された補正データに平均値化処理を行い、前記画面補正データを生成する。
【００１８】
本発明に記載の画面補正方法において、前記ディスプレイの実際の表示モードでの画面解像度が前記ディスプレイの予め設定された表示モードでの画面解像度の１/４である場合に、前記実際の表示モードでの表示画面信号に対応する前記予め設定された表示モードでの表示画面信号の予め設定された補正データに平均値化処理を行い、前記画面補正データを生成する。
【００１９】
本発明に記載の画面補正方法において、前記ディスプレイの実際の表示モードでの画面解像度が前記ディスプレイの予め設定された表示モードでの画面解像度の１/２である場合に、前記実際の表示モードでの表示画面信号に対応する前記予め設定された表示モードでの表示画面信号の予め設定された補正データのいずれか１つを前記画面補正データとして選択する。
【００２０】
本発明の実施例は、
ディスプレイの実際の表示モードを検出するモード検出モジュールと、
前記ディスプレイの実際の表示モード、及び予め設定された補正データに基づいて、画面補正データを生成する補正データ生成モジュールと、
前記画面補正データを使用して、表示画面信号に対して画面補正操作を行う補正操作モジュールと、
前記ディスプレイの実際の表示モードを使用して、前記画面補正操作後の前記表示画面信号に対して表示操作を行う表示モジュールと、
を有する画面補正を有するディスプレイを、さらに提供する。
【００２１】
本発明に記載の画面補正を有するディスプレイにおいて、前記予め設定された補正データは前記ディスプレイの予め設定された表示モードでの表示画面信号の補正データである。
【００２２】
本発明に記載の画面補正を有するディスプレイにおいて、前記補正データ生成モジュールは、前記ディスプレイの実際の表示モードでの画面解像度、及び前記ディスプレイの予め設定された表示モードでの画面解像度に基づいて、前記予め設定された補正データを処理して、前記画面補正データを生成する。
【００２３】
本発明に記載の画面補正を有するディスプレイにおいて、前記予め設定された表示モードは２Ｄ表示モードであり、前記ディスプレイの２Ｄ表示モードでの画面解像度は、他の表示モードでの画面解像度より高い。
【００２４】
本発明に記載の画面補正を有するディスプレイにおいて、前記ディスプレイの実際の表示モードでの画面解像度が前記ディスプレイの予め設定された表示モードでの画面解像度の１/２である場合に、前記補正データ生成モジュールは、前記実際の表示モードでの表示画面信号に対応する前記予め設定された表示モードでの表示画面信号の予め設定された補正データに平均値化処理を行い、前記画面補正データを生成する。
【００２５】
本発明に記載の画面補正を有するディスプレイにおいて、前記ディスプレイの実際の表示モードでの画面解像度が前記ディスプレイの予め設定された表示モードでの画面解像度の１/４である場合に、前記補正データ生成モジュールは、前記実際の表示モードでの表示画面信号に対応する前記予め設定された表示モードでの表示画面信号の予め設定された補正データに平均値化処理を行い、前記画面補正データを生成する。
【００２６】
本発明に記載の画面補正を有するディスプレイにおいて、前記ディスプレイの実際の表示モードでの画面解像度が前記ディスプレイの予め設定された表示モードでの画面解像度の１/２である場合に、前記補正データ生成モジュールは、前記実際の表示モードでの表示画面信号に対応する前記予め設定された表示モードでの表示画面信号の予め設定された補正データのいずれか１つを画面補正データとして選択する。
【発明の効果】
【００２７】
従来の画面補正方法及び画面補正を有するディスプレイに比べて、本発明の画面補正方法及び画面補正を有するディスプレイは、ディスプレイの実際の表示モード、及び予め設定された補正データに基づいて、実際の表示モードでの画面補正データを生成することにより、ディスプレイのすべての表示モードの表示画面に対して画面補正操作を行うことができ、従来の画面補正方法及び画面補正を有するディスプレイがディスプレイのすべての表示モードの表示画面に画面補正を行うことができない技術問題を解決する。
【００２８】
以下、本発明の前記内容をより分かりやすくするため、図面を参照しながら好ましい実施例により詳しく説明する。
【図面の簡単な説明】
【００２９】
【図１】図１は本発明の画面補正方法の好ましい実施例のフローチャートである。
【図２】図２Ａは本発明の画面補正方法の好ましい実施例の予め設定された補正データであり、図２Ｂは本発明の画面補正方法の好ましい実施例の第１の好ましい実施例の画面補正データである。
【図３】図３は本発明の画面補正方法の好ましい実施例の第２の好ましい実施例の画面補正データである。
【図４】図４は本発明の画面補正方法の好ましい実施例の第３の好ましい実施例の画面補正データである。
【図５】図５は本発明の画面補正方法の好ましい実施例の第４の好ましい実施例の画面補正データである。
【図６】図６は本発明の画面補正を有するディスプレイの好ましい実施例の構造模式図である。
【発明を実施するための形態】
【００３０】
以下の各実施例は、図面を参照して説明され、本発明の実施可能な特定な実施例を例示するものである。本発明でいう方向用語、例えば「上」、「下」、「前」、「後」、「左」、「右」、「内」、「外」、「側面」等は、図面における方向に過ぎない。よって、用いられる方向用語は、本発明を説明及び理解するためのもので、本発明を制限しない。
【００３１】
図面において、構造が類似する単位を同一の符号で表示する。
【００３２】
本発明は画面補正方法を提供し、該画面補正方法はLCD（Liquid Crystal Display、液晶ディスプレイ）又はOLED（Organic Light-Emitting Diode、有機発光ダイオードディスプレイ）に使用することができる。図１は本発明の画面補正方法の好ましい実施例のフローチャートである。該画面補正方法の好ましい実施例は、
ディスプレイの実際の表示モードを検出するステップＳ１０１と、
ディスプレイの実際の表示モード及び予め設定された補正データに基づいて、画面補正データを生成するステップＳ１０２と、
画面補正データを使用して、表示画面信号に対して画面補正操作を行うステップＳ１０３と、
ディスプレイの実際の表示モードを使用して、画面補正操作後の表示画面信号に対して表示操作を行うステップＳ１０４と、
を含む。
【００３３】
以下、本画面補正方法の好ましい実施例の各ステップの詳細を説明する。
【００３４】
ステップＳ１０１において、画面補正装置はディスプレイの実際の表示モード、例えば２Ｄ表示モード、異なるタイプの３Ｄ表示モード等を検出する。ここで、２Ｄ表示モードの表示リフレッシュレートは比較的に低いため、２Ｄ表示モードの表示画面の解像度を比較的高くすることができる（同じ伝送速度の場合において）。３Ｄ表示モードは、１フレームの画面に左眼画面と右眼画面を同時に表示する必要があり、さらに同一フレームの画面に複数の左眼画面と右眼画面を表示することにより複数のユーザーに見てもらう必要があるため、３Ｄ表示モードの表示リフレッシュレートは比較的に高く、３Ｄ表示モードの表示画面の解像度は比較的に低い。この後にステップＳ１０２に続く。
【００３５】
ステップＳ１０２において、画面補正装置はディスプレイの実際の表示モード及び予め設定された補正データに基づいて、画面補正データを生成する。ここで、予め設定された補正データはディスプレイの予め設定された表示モードでの表示画面信号の補正データであり、該画面補正データはディスプレイの実際の表示モードでの表示画面信号の補正データである。一般的に、予め設定された表示モードは２Ｄ表示モードであり、ディスプレイの２Ｄ表示モードでの画面解像度は他の表示モードでの画面解像度よりも高い。これにより、画面補正装置は、ディスプレイの実際の表示モードでの画面解像度及びディスプレイの予め設定された表示モードでの画面解像度に基づいて、予め設定された補正データを処理して、画面補正データを生成することができる。
【００３６】
具体的な画面補正データの生成過程は図２Ａと図２Ｂに示す通りである。図２Ａは本発明の画面補正方法の好ましい実施例の予め設定された補正データであり、図２Ｂは本発明の画面補正方法の好ましい実施例の第１の好ましい実施例の画面補正データである。ここで、予め設定された表示モード（２Ｄ表示モード）のリフレッシュレートは６０Hzで、予め設定された表示モードの解像度は４k*２kである。実際の表示モードのリフレッシュレートは２４０Hzであり、実際の表示モードの解像度は４k*０.５kである。ディスプレイの実際の表示モードでの画面解像度はディスプレイの予め設定された表示モードでの画面解像度の１/４であり、つまり、予め設定された表示モードのディスプレイにおける隣接する4行の4つの画素を使用して実際の表示モードのディスプレイにおける１つの画像を示す。実際の表示モードでの表示画面信号の画面補正データが予め設定された表示モードでの表示画面信号の４つの予め設定された補正データに対応するため、前記４つの予め設定された補正データに平均値化処理を行い、対応する画面補正データを生成する。
【００３７】
例えば、図２Ａにおける１行目１列目の予め設定された補正データは１、２行目１列目の予め設定された補正データは２、３行目１列目の予め設定された補正データは１、４行目１列目の予め設定された補正データは１であるため、図２Ｂにおける１行目１列目の画面補正データは１.２５となる。このようにして、全体の実際の表示モードでの表示画面信号の画面補正データを生成することができる。詳細は図２Ｂに示す通りである。この後にステップＳ１０３に続く。
【００３８】
ステップＳ１０３において、ステップＳ１０２で得られた画面補正データを使用して、表示画面信号に対して画面補正操作を行う。この後にステップＳ１０４に続く。
【００３９】
ステップＳ１０４において、画面補正操作後、ディスプレイの実際の表示モードを使用して、画面補正操作後の表示画面信号に対して表示操作を行う。
【００４０】
このように、本好ましい実施例の画面補正方法の画面補正過程が完成する。
【００４１】
本好ましい実施例の画面補正方法は、ディスプレイの実際の表示モード及び予め設定された補正データに基づいて、実際の表示モードでの画面補正データを生成するため、ディスプレイのすべての表示モードの表示画面に対して画面補正操作を行うことができる。
【００４２】
図１、図２Ａ及び図３を参照すると、図３は、本発明の画面補正方法の好ましい実施例の第２の好ましい実施例の画面補正データである。
【００４３】
本好ましい実施例のステップＳ１０２において、予め設定された表示モードのリフレッシュレートは６０Hz、予め設定された表示モードの解像度は４k*２kである。実際の表示モードのリフレッシュレートは１２０Hz、実際の表示モードの解像度は４k*１kである。ディスプレイの実際の表示モードの画面解像度はディスプレイの予め設定された表示モードでの画面解像度の１/２であり、つまり、予め設定された表示モードのディスプレイにおける隣接する２行の２つの画像を使用して表示実際の表示モードのディスプレイにおける１つの画像を示す。実際の表示モードでの表示画面信号の画面補正データが予め設定された表示モードでの表示画面信号の２つの予め設定された補正データに対応するため、前記２つの予め設定された補正データに平均値化処理を行い、対応する画面補正データを生成する。
【００４４】
例えば、図２Ａにおける１行目１列目の予め設定された補正データは１、２行目１列目の予め設定された補正データは２であるため、図３における１行目１列目の画面補正データは１.５となる。このようにして、全体の実際の表示モードでの表示画面信号の画面補正データを生成することができる。詳細は図３に示す通りである。
【００４５】
本好ましい実施例の他のステップは前記画面補正方法の第１の好ましい実施例のステップに対する説明と同様又は類似するので、詳細は、前記画面補正方法の第１の好ましい実施例のステップを参照ください。
【００４６】
本好ましい実施例の画面補正方法はディスプレイの実際の表示モード及び予め設定された補正データに基づいて、実際の表示モードでの画面補正データを生成するため、ディスプレイのすべての表示モードの表示画面に対して画面補正操作を行うことができる。
【００４７】
図１、図２Ａ及び図４を参照すると、図４は本発明の画面補正方法の好ましい実施例の第３の好ましい実施例の画面補正データである。
【００４８】
本好ましい実施例のステップＳ１０２において、予め設定された表示モードのリフレッシュレートは６０Hz、予め設定された表示モードの解像度は４k*２kである。実際の表示モードのリフレッシュレートは１２０Hz、実際の表示モードの解像度は４k*１kである。ディスプレイの実際の表示モードの画面解像度はディスプレイの予め設定された表示モードでの画面解像度の１/２であり、つまり、予め設定された表示モードのディスプレイにおける隣接する２行の２つの画像を使用して実際の表示モードのディスプレイにおける１つの画像を示す。実際の表示モードでの表示画面信号の画面補正データが予め設定された表示モードでの表示画面信号の２つの予め設定された補正データに対応するため、実際の表示モードでの表示画面信号に対応する予め設定された表示モードでの表示画面信号のうち予め設定された補正データのいずれか１つを画面補正データとして選択する。
【００４９】
例えば、図２Ａにおける１行目１列目の予め設定された補正データは１、１行目２列目の予め設定された補正データは２、１行目３列目の予め設定された補正データは４、１行目４列目の予め設定された補正データは３、２行目１列目の予め設定された補正データは２、２行目２列目の予め設定された補正データは５、２行目３列目の予め設定された補正データは６、２行目４列目の予め設定された補正データは４である。図４において、１行目（奇数行）の予め設定された補正データを実際の表示モードでの対応する画面補正データとして選択し、２行目（偶数行）の予め設定された補正データを放棄した。そのため、図４における１行目１列目の画面補正データは１、１行目２列目の画面補正データは２、１行目３列目の画面補正データは４、１行目４列目の画面補正データは３となる。このようにして、全体の実際の表示モードでの表示画面信号の画面補正データを生成することができる。詳細は図４に示す通りである。
【００５０】
本好ましい実施例の他のステップは、前記画面補正方法の第１の好ましい実施例のステップに対する説明と同様又は類似するので、詳細は前記画面補正方法の第１の好ましい実施例のステップを参照ください。
【００５１】
本好ましい実施例の画面補正方法はディスプレイの実際の表示モード及び予め設定された補正データに基づいて、実際の表示モードでの画面補正データを生成するため、ディスプレイのすべての表示モードの表示画面に対して画面補正操作を行うことができる。
【００５２】
図１、図２Ａ及び図５を参照すると、図５は本発明の画面補正方法の好ましい実施例の第４の好ましい実施例の画面補正データである。
【００５３】
本好ましい実施例のステップＳ１０２において、予め設定された表示モードのリフレッシュレートは６０Hz、予め設定された表示モードの解像度は４k*２kである。実際の表示モードのリフレッシュレートは１２０Hz、実際の表示モードの解像度は４k*１kである。ディスプレイの実際の表示モードの画面解像度はディスプレイの予め設定された表示モードでの画面解像度の１/２であり、つまり、予め設定された表示モードのディスプレイにおける隣接する２行の２つの画像を使用して、実際の表示モードのディスプレイにおける１つの画像を示す。実際の表示モードでの表示画面信号の画面補正データが予め設定された表示モードでの表示画面信号の２つの予め設定された補正データに対応するため、実際の表示モードでの表示画面信号に対応する予め設定された表示モードでの表示画面信号のうち予め設定された補正データのいずれか１つを画面補正データとして選択する。
【００５４】
図２Ａにおける１行目１列目の予め設定された補正データは１、１行目２列目の予め設定された補正データは２、１行目３列目の予め設定された補正データは４、１行目４列目の予め設定された補正データは３、２行目１列目の予め設定された補正データは２、２行目２列目の予め設定された補正データは５、２行目３列目の予め設定された補正データは６、２行目４列目の予め設定された補正データは４である。図５において、２行目（偶数行）の予め設定された補正データを実際の表示モードでの対応する画面補正データとして選択し、１行目（奇数行）の予め設定された補正データを放棄した。そのため、図５における１行目１列目の画面補正データは２、１行目２列目の画面補正データは５、１行目３列目の画面補正データは６、１行目４列目の画面補正データは４となる。このようにして、全体の実際の表示モードでの表示画面信号の画面補正データを生成することができる。詳細は図５に示す通りである。
【００５５】
本好ましい実施例の他のステップは前記画面補正方法の第１の好ましい実施例のステップに対する説明と同様又は類似するので、詳細は前記画面補正方法の第１の好ましい実施例のステップを参照ください。
【００５６】
本好ましい実施例の画面補正方法は、ディスプレイの実際の表示モード及び予め設定された補正データに基づいて、実際の表示モードでの画面補正データを生成するため、ディスプレイのすべての表示モードの表示画面に対して画面補正操作を行うことができる。
【００５７】
本発明は、さらに画面補正を有するディスプレイを提供する。図６は、本発明の画面補正を有するディスプレイの好ましい実施例の構造模式図である。本好ましい実施例の画面補正を有するディスプレイ６０は、モード検出モジュール６１と、補正データ生成モジュール６２と、補正操作モジュール６３と、表示モジュール６４とを有する。
【００５８】
モード検出モジュール６１はディスプレイ６０の実際の表示モードを検出する。補正データ生成モジュール６２はディスプレイ６０の実際の表示モード及び予め設定された補正データ６５に基づいて、画面補正データを生成する。補正操作モジュール６３は画面補正データを使用して表示画面信号に対して画面補正操作を行う。表示モジュール６４はディスプレイ６０の実際の表示モードを使用して画面補正操作後の表示画面信号に対して表示操作を行う。
【００５９】
好ましくは、補正データ生成モジュール６２は、具体的にディスプレイの実際の表示モードでの画面解像度及びディスプレイの予め設定された表示モードでの画面解像度に基づいて、予め設定された補正データ６５を処理して、画面補正データを生成する。
【００６０】
ディスプレイ６０の実際の表示モードでの画面解像度がディスプレイ６０の予め設定された表示モードでの画面解像度の１/２又は１/４である場合に、補正データ生成モジュール６２は実際の表示モードでの表示画面信号に対応する予め設定された表示モードでの表示画面信号の予め設定された補正データ６５に平均値化処理を行い、画面補正データを生成する。
【００６１】
ディスプレイ６０の実際の表示モードでの画面解像度がディスプレイ６０の予め設定された表示モードでの画面解像度の１/２である場合に、補正データ生成モジュール６２は実際の表示モードでの表示画面信号に対応する予め設定された表示モードでの表示画面信号の予め設定された補正データ６５のいずれか１つを画面補正データとして選択する。
【００６２】
本発明の画面補正を有するディスプレイの具体的な動作原理は、前記画面補正方法の好ましい実施例で説明した具体的な動作原理と同様又は類似するので、詳細は前記画面補正方法の好ましい実施例を参照ください。
【００６３】
以下、具体的な実施例により本発明の画面補正方法及び画面補正装置の動作原理を説明する。
一、ディスプレイをオンすると、画面補正装置はディスプレイの実際の表示モードを検出する。該実際の表示モードの検出は検出ディスプレイのIOインタフェースにより実現可能である。IO１/IO２の出力が０/０であると、実際の表示モードは２Ｄ表示モードであり、IO１/IO２の出力が０/１であると、実際の表示モードは、画面解像度が２Ｄ表示モードの画面解像度の１/２である３Ｄ表示モードである等。ディスプレイの実際の表示モードを取得した後、システムメモリから予め設定された補正データを読み込む。
二、ディスプレイの実際の表示モードに基づいて、予め設定された補正データを実際の表示モードの画面補正データに変換する。
三、画面補正データを使用して表示画面信号に対して画面補正操作を行う。
四、ディスプレイの実際の表示モードを使用して画面補正操作後の表示画面信号に対して表示操作を行う。
【００６４】
本発明の画面補正方法及び画面補正装置は、ディスプレイの実際の表示モード及び予め設定された補正データに基づいて、実際の表示モードでの画面補正データを生成することにより、ディスプレイのすべての表示モードの表示画面に画面補正操作をすることができ、従来の画面補正方法及び画面補正を有するディスプレイがディスプレイのすべての表示モードの表示画面に画面補正を行うことができない技術問題を解決した。
【００６５】
上記より、本発明は好ましい実施例により開示されたが、上記の好ましい実施例は本発明を限定するものでなく、本発明の趣旨及び範囲を脱出しない限り、当業者であれば、様々な変更及び修飾を加えることができるため、本発明の保護範囲は、特許請求の範囲に基づくものである。
【図１】
0006637965.tif 000002
【図２Ａ】
0006637965.tif 000003
【図２Ｂ】
0006637965.tif 000004
【図３】
0006637965.tif 000005
【図４】
0006637965.tif 000006
【図５】
0006637965.tif 000007
【図６】
0006637965.tif 000008